(57)【特許請求の範囲】
【請求項１】
蒸気タービン復水器から抽出された非凝縮空気を空気エゼクタを介して真空ポンプで吸引し、セパレータタンクを通して前記空気を系外に排出する復水器真空ポンプシステムの凍結防止方法において、
真空ポンプの運転中、当該真空ポンプで昇温された封水を、前記セパレータタンクを経由して封水循環ポンプで昇圧し、封水供給配管を介して前記空気エゼクタに設けたジャケットに供給することを特徴とする復水器真空ポンプシステムの凍結防止方法。
【請求項２】
蒸気タービン復水器から抽出された非凝縮空気を空気エゼクタを介して真空ポンプで吸引し、セパレータタンクを通して前記空気を系外に排出する復水器真空ポンプシステムにおいて、
真空ポンプの運転に際し、当該真空ポンプで昇温された封水を、前記空気エゼクタに設けたジャケットに供給する封水供給配管を、空気エゼクタジャケットとセパレータタンク間に接続し、さらに空気エゼクタジャケットとセパレータタンク間を封水戻り配管で接続したことを特徴とする復水器真空ポンプシステム。
【発明の詳細な説明】
【０００１】
【発明の属する技術分野】
本発明は、蒸気タービン復水器から空気を抽出する復水器真空ポンプシステムに係り、復水器真空ポンプに付属する空気エゼクタの凍結防止方法および装置に関する。
【０００２】
【従来の技術】
従来の復水器真空ポンプに付属する空気エゼクタの凍結防止対策の一例を図３に示す。
【０００３】
図３によれば、空気エゼクタ３の凍結防止対策は、ポンプ停止中に空気エゼクタ用ノズルヒータ８、ディフューザヒータ９の電源を投入すると、異常加熱によるヒータ８，９の劣化による寿命低下、ひいてはヒータ８，９が断線に至る可能性もあるため、真空ポンプ４の運転中の条件とポンプ廻りの大気温度もしくは空気エゼクタメタル温度低下のアンド条件により温度スイッチ１０が動作して、ノズルヒータ８とディフューザヒータ９に電源が投入され、空気エゼクタ３を加熱して凍結を防止するというものである。また、ヒータ８，９は、プラント運転を継続する際、真空低下防止をする観点上、重要なヒータとして位置付けされているため、ヒータ８，９自身の作動状態を確認するヒータ電流監視装置１１、およびこれらに付随する警報装置を有している。
【０００４】
【発明が解決しようとする課題】
前記従来技術は、ノズルヒータとディフューザヒータの電源投入条件成立後、当該ヒータに電源が投入され、ヒータ自身が凍結を防止する温度まで到達するのにある程度時間を要することから、真空ポンプ起動前の空気エゼクタ待機状態において、空気エゼクタ内に真空ポンプが吸引する非凝縮ガスに随伴される蒸気が凝縮され、ドレン溜りが形成された場合、真空ポンプ起動直後このドレンおよび空気エゼクタ内での空気超音速流による減温効果によって空気エゼクタ内部で凍結が開始され、空気エゼクタ自身が加温される前に凍結によりエゼクタ内部が閉塞されてしまう。また、ヒータは、凍結を防止することを目的に設置されており、凍結したエゼクタ内部を解凍するヒータ容量を有していないので、復水器の真空低下に至ってしまうことになる。
【０００５】
また、ヒータ自身消耗品であるため、ヒータ電流監視装置設置の必要もあり、信頼性向上の観点から複雑な凍結防止システム構成となっている。
【０００６】
本発明の課題は、他動力源・制御系統および消耗品を持たずにシンプルかつ安価な凍結防止策による復水器真空ポンプシステムを提供することにある。
【０００７】
【課題を解決するための手段】
本発明の特徴は、蒸気タービン復水器から抽出された非凝縮空気を空気エゼクタを介して真空ポンプで吸引し、セパレータタンクを通して前記空気を系外に排出する復水器真空ポンプシステムにおいて、真空ポンプの運転中、当該真空ポンプで昇温された封水を、前記空気エゼクタに設けたジャケットに供給する点にある。
【０００９】
【発明の実施の形態】
本発明の参考例を図１により説明する。
【００１０】
図１は復水器真空ポンプシステムの全体系統図を示したものであり、本図によれば、復水器１から抽出された非凝縮空気は、空気エゼクタ３を介して真空ポンプ４で吸引され、セパレータタンク５を通って系外に排出される。また、復水器真空ポンプシステム内封水は、他の水系統より供給される封水をセパレータタンク５で受け取り、封水循環ポンプ６で昇圧し、封水冷却器７で封水を冷却した後、真空ポンプ４に供給され、真空ポンプ４よりセパレータタンク５に戻す循環系統を構成する。
【００１１】
この運転フローにおいて、運転待機中の復水器真空ポンプ４は、入口弁２が全閉状態であり、復水器真空ポンプシステム内系統が大気圧状態となることから、空気エゼクタ３内にポンプ４が吸引する非凝縮空気に随伴される蒸気が凝縮され、ドレンが発生した場合は、復水器真空ポンプ系統内の水頭差により、ドレンが配管１２を通り、この配管１２に設けられた微差圧逆止弁１３を介してセパレータタンク５に流れ込むことで、空気エゼクタ３内部に発生したドレンを排出することが可能となり、また復水器真空ポンプ４が起動した際は、空気エゼクタ３が真空となり、セパレータタンク５は大気圧であることから、圧力差が生じ、微差圧逆止弁１３が閉方向に働くため、セパレータタンク５から空気エゼクタ３側へのドレンの逆流防止を図ることによって、空気エゼクタ３内部のドレンを排出するための電動弁およびそれらを制御するインターロック等を追加せずに、シンプルかつ安価な構成にて、復水器真空ポンプ待機起動直後の空気エゼクタ３内のドレン溜りによる空気エゼクタ３の凍結防止を図ることができる。
【００１２】
本発明の実施例を図２により説明する。
【００１３】
通常運転中の復水器真空ポンプ４は、復水器真空ポンプシステム内で循環している封水において、真空ポンプ４内で行われる空気排出の際に発生する圧縮熱および真空ポンプ電動機入熱等により昇温された封水を、封水供給配管１４上に設けられた封水循環ポンプ６のオーバーロードを防止するオリフィス１５を介し、空気エゼクタ３に設けた封水ジャケット１６の下部より供給し、ジャケット最上部よりセパレータタンク５に返す戻り配管１７を通すことにより、空気エゼクタ３全体を暖気することが可能となり、空気エゼクタ３の凍結防止用ヒータ、ならびにこれらを制御する計器・インターロックおよびヒータ監視装置類、さらにはヒータ電源のユーティリティを使用せずに、消耗品がなく、シンプルかつ安価な構成で空気エゼクタ３の凍結防止を図ることができる。
【００１４】
【発明の効果】
本発明によれば、他動力源・制御系統および消耗品を持たずにシンプルかつ安価な凍結防止策による復水器真空ポンプシステムを提供することができる。
【図面の簡単な説明】
【図１】  本発明の参考例で、復水器真空ポンプ起動時の空気エゼクタ凍結防止を説明するシステム系統図である。
【図２】  本発明の実施例で、復水器真空ポンプ運転時の空気エゼクタ凍結防止を説明するシステム系統図である。
【図３】  従来例による復水器真空ポンプ運転時の空気エゼクタ凍結防止を説明するシステム系統図である。
【符号の説明】
１…復水器、２…入口弁、３…空気エゼクタ、４…真空ポンプ、５…セパレータタンク、６…封水循環ポンプ、７…封水冷却器、８…ノズルヒータ、９…ディヒューザヒータ、１０…温度スイッチ、１１…ヒータ電源監視装置、１２…空気エゼクタドレンライン、１３…微差圧式逆止弁、１４…封水供給配管、１５…オリフィス、１６…空気エゼクタジャケット、１７…封水戻り配管。
【図１】
0003875471.tif 000002
【図２】
0003875471.tif 000003
【図３】
0003875471.tif 000004